(57)【特許請求の範囲】
【請求項１】
放電によりイオンを発生させる放電電極と、
筒形状を有し、その内側に前記放電電極が配置される筒部と、前記筒部からその外側に向けて延出し、送風を受ける羽根部とを含み、前記放電電極の周囲で回転可能に設けられるカバー体とを備え、
前記筒部には、前記カバー体の回転に伴って、前記筒部内に空気を取り込む取り込み口と、前記筒部内から空気を吹き出す吹き出し口とが形成される、イオン発生装置。
【請求項２】
前記放電電極は、全体として、一方向に延びる軸形状を有し、
前記筒部は、前記放電電極の軸方向に沿った円筒形状を有し、
前記取り込み口は、前記筒部の周面に形成され、
前記吹き出し口は、前記放電電極の軸方向における前記筒部の端部に形成される、請求項１に記載のイオン発生装置。
【請求項３】
前記カバー体は、前記カバー体の回転中心軸に対する周方向に間隔を隔てた位置に複数の前記羽根部を含み、
互いに隣り合う前記羽根部の間の各々に、前記取り込み口が形成される、請求項２に記載のイオン発生装置。
【請求項４】
前記羽根部は、前記筒部から前記筒部の接線方向に延出する、請求項２または３に記載のイオン発生装置。
【請求項５】
通風路を形成するダクトと、
前記通風路に設けられる、請求項１から４のいずれか１項に記載のイオン発生装置と、
前記通風路に空気流れを形成するファンとを備える、空気調和機。
【発明の詳細な説明】
【技術分野】
【０００１】
この発明は、イオン発生装置および空気調和機に関する。
【背景技術】
【０００２】
従来のイオン発生装置に関して、たとえば、特開２００６−２８４１６４号公報には、イオン化部の放電電極構成を最適化することにより、デザイン性の向上とマイナスイオンの発生効率の最大化とを両立しつつ、通風抵抗の増大を抑制し、結露等の信頼性の向上を図ることを目的とした、マイナスイオン発生装置が開示されている（特許文献１）。特許文献１に開示されるマイナスイオン発生装置は、台座に固定され、垂直上向きに設けられる電極針および接地電極針と、これらの電極針を覆う格子状の籠とを有する。
【先行技術文献】
【特許文献】
【０００３】
【特許文献１】特開２００６−２８４１６４号公報
【発明の概要】
【発明が解決しようとする課題】
【０００４】
一般的に、密閉された部屋、事務所または会議室などに多人数が長時間、滞在すると、呼吸とともに排出される二酸化炭素や、煙草の煙、埃などによって、室内の汚染微粒子が増加する。この場合、人体にとって好ましくない有害物質が空気中に発散するため、このような有害物質の濃度を低く抑えることを目的に、イオン発生装置が利用されている。イオン発生装置から室内に送出されるイオン（プラスイオン・マイナスイオン）によって、空気中に浮遊する細菌を除去したり、ウイルスを不活化したりできる。
【０００５】
イオン発生装置としては、たとえば、上述の特許文献１に開示されるマイナスイオン発生装置が知られている。特許文献１に開示されるマイナスイオン発生装置では、電極針の先端部で放電現象を起こしてイオンを発生させる。このようなイオン発生装置においては、電極針の先端部で発生させたイオンをより遠くまで放出することが求められる。
【０００６】
そこでこの発明の目的は、上記の課題を解決することであり、イオンをより遠くまで放出することが可能なイオン発生装置および空気調和機を提供することである。
【課題を解決するための手段】
【０００７】
この発明に従ったイオン発生装置は、放電によりイオンを発生させる放電電極と、筒形状を有し、その内側に放電電極が配置される筒部と、筒部からその外側に向けて延出し、送風を受ける羽根部とを含み、放電電極の周囲で回転可能に設けられるカバー体とを備える。筒部には、カバー体の回転に伴って、筒部内に空気を取り込む取り込み口と、筒部内から空気を吹き出す吹き出し口とが形成される。
【０００８】
また好ましくは、放電電極は、全体として、一方向に延びる軸形状を有する。筒部は、放電電極の軸方向に沿った円筒形状を有する。取り込み口は、筒部の周面に形成される。吹き出し口は、放電電極の軸方向における筒部の端部に形成される。
【０００９】
また好ましくは、カバー体は、カバー体の回転中心軸に対する周方向に間隔を隔てた位置に複数の羽根部を含む。互いに隣り合う羽根部の間の各々に、取り込み口が形成される。
【００１０】
また好ましくは、羽根部は、筒部から筒部の接線方向に延出する。
この発明に従った空気調和機は、通風路を形成するダクトと、通風路に設けられる、上述のいずれかに記載のイオン発生装置と、通風路に空気流れを形成するファンとを備える。
【発明の効果】
【００１１】
この発明に従えば、イオンをより遠くまで放出することが可能なイオン発生装置および空気調和機を提供することができる。
【図面の簡単な説明】
【００１２】
【図１】この発明の実施の形態１におけるイオン発生装置を示す側面図である。
【図２】図１中のイオン発生装置を示す上面図である。
【図３】図２中のＩＩＩ−ＩＩＩ線上に沿ったイオン発生装置を示す断面図である。
【図４】図１中のイオン発生装置を示す斜視図である。
【図５】図１中のイオン発生装置により奏される作用効果を説明するための斜視図である。
【図６】図３中の放電電極の第１変形例を示す側面図である。
【図７】図３中の放電電極の第２変形例を示す断面図である。
【図８】この発明の実施の形態２におけるイオン発生装置を示す上面図である。
【図９】この発明の実施の形態３におけるイオン発生装置を示す断面図である。
【図１０】図９中のイオン発生装置において、筒部内に形成される気流の様子を示す斜視図である。
【図１１】この発明の実施の形態４におけるイオン発生装置を示す断面図である。
【図１２】この発明の実施の形態５におけるイオン発生装置を示す断面図である。
【図１３】この発明の実施の形態６におけるイオン発生機を示す断面図である。
【発明を実施するための形態】
【００１３】
この発明の実施の形態について、図面を参照して説明する。なお、以下で参照する図面では、同一またはそれに相当する部材には、同じ番号が付されている。
【００１４】
（実施の形態１）
図１は、この発明の実施の形態１におけるイオン発生装置を示す側面図である。図２は、図１中のイオン発生装置を示す上面図である。図３は、図２中のＩＩＩ−ＩＩＩ線上に沿ったイオン発生装置を示す断面図である。図４は、図１中のイオン発生装置を示す斜視図である。
【００１５】
図１から図４を参照して、この発明の実施の形態１におけるイオン発生装置１０は、プラスイオンＨ＋（Ｈ２Ｏ）ｎ（ｎは０を含まない任意の整数)またはマイナスイオンＯ２−（Ｈ２Ｏ）ｍ（ｍは０を含む任意の整数）を発生させる。イオン発生装置１０は、たとえば、これらのイオンを室内に送出することにより、空気中のウイルスを不活性化もしくは死滅させる機能を有するイオン発生機に装着される。なお、イオン発生機の構造については、実施の形態６で説明する。
【００１６】
イオン発生装置１０は、ベース部１２と、放電電極４１と、電極保護カバー２１と、カバー支持部３１と、誘導電極（不図示）とを有する。
【００１７】
ベース部１２は、板形状を有する。ベース部１２には、放電電極４１が立設されている。放電電極４１は、全体として、一方向に延びる軸形状を有する。放電電極４１は、ベース部１２から中心軸１０１に沿って軸状に延びている。
【００１８】
放電電極４１は、その構成部位として、先端部４２と、基部４３とを有する。基部４３は、ベース部１２に接続されている。先端部４２は、放電電極４１が一方向に延びる先端に設けられている。先端部４２は、中心軸１０１の軸方向において基部４３とは反対側の放電電極４１の端部に設けられている。本実施の形態では、放電電極４１が針状電極であり、先端部４２は先鋭化された針形状を有する。
【００１９】
放電電極４１に高電圧が印加されると、放電電極４１および誘導電極（不図示）間にコロナ放電が起こり、放電電極４１の先端部４２にイオンが発生する。
【００２０】
電極保護カバー２１は、放電電極４１を保護するためのカバー体である。電極保護カバー２１は、樹脂から形成されている。電極保護カバー２１は、その構成部位として、筒部２２と、羽根部２６とを有する。筒部２２および羽根部２６は、樹脂により一体に成形されている。
【００２１】
筒部２２は、筒形状を有する。本実施の形態では、筒部２２が、円筒形状を有する。筒部２２は、中心軸１０１を中心にその軸方向に沿って延びる円筒形状を有する。筒部２２の内側には、放電電極４１が配置されている。筒部２２は、中心軸１０１の軸方向に沿って延びる放電電極４１の外周上を取り囲むように設けられている。ベース部１２を基準にして中心軸１０１の軸方向における長さを高さという場合に、筒部２２の高さは、放電電極４１の高さよりも大きい。
【００２２】
羽根部２６は、筒部２２からその外側に延出するように設けられている。羽根部２６は、筒部２２の外周面から、中心軸１０１を中心とする周方向に変位しながら径方向外側に向けて延出するように設けられている。
【００２３】
電極保護カバー２１は、複数の羽根部２６（羽根部２６Ａ、羽根部２６Ｂおよび羽根部２６Ｃ）を有する。複数の羽根部２６は、中心軸１０１を中心とする周方向において互いに間隔を隔てて設けられている。複数の羽根部２６は、中心軸１０１を中心とする周方向において等間隔に設けられている。複数の羽根部２６は、互いに同一形状を有する。
【００２４】
電極保護カバー２１は、放電電極４１の周囲で回転可能に設けられている。電極保護カバー２１は、カバー支持部３１によって、中心軸１０１を中心にして回転可能に支持されている。
【００２５】
より具体的に説明すると、カバー支持部３１は、ベース部１２に固定されている。カバー支持部３１は、全体として、中心軸１０１を中心とする円筒形状を有する。カバー支持部３１は、放電電極４１の基部４３の外周上に設けられている。カバー支持部３１は、その構成部位として、突出部３３を有する。突出部３３は、中心軸１０１を中心にその径方向外側に向けて突出する凸形状を有する。突出部３３は、中心軸１０１を中心に環状に設けられている。
【００２６】
筒部２２には、凹部２８が形成されている。凹部２８は、筒部２２の内周面から凹むように設けられている。凹部２８は、中心軸１０１を中心に周方向に延びる溝形状を有する。
【００２７】
突出部３３に凹部２８が嵌合されることによって、電極保護カバー２１は、カバー支持部３１により中心軸１０１を中心に回転可能に支持されている。突出部３３と、凹部２８の壁面との間には、隙間が形成されることが好ましい。このような構成によれば、カバー支持部３１および電極保護カバー２１（筒部２２）間に生じる摩擦力が低減するため、電極保護カバー２１が回転し易くなる。
【００２８】
筒部２２には、取り込み口２４および吹き出し口２５が形成されている。取り込み口２４は、電極保護カバー２１の回転に伴って、筒部２２内の空間１４に空気を取り込むための筒部２２の開口部である。吹き出し口２５は、電極保護カバー２１の回転に伴って、筒部２２内の空間１４から空気を吹き出すための筒部２２の開口部である。
【００２９】
取り込み口２４は、筒部２２の周面に形成されている。取り込み口２４は、筒部２２の内周面から外周面まで貫通する開口部により形成されている。取り込む口２４は、筒部２２の外側の空間と、筒部２２内の空間１４との間を連通させるように形成されている。
【００３０】
筒部２２には、複数の取り込み口２４（取り込み口２４Ａ、取り込み口２４Ｂおよび取り込み口２４Ｃ）が形成されている。複数の取り込み口２４は、中心軸１０１を中心とする周方向において互いに間隔を隔てて配置されている。複数の取り込み口２４は、中心軸１０１を中心とする周方向において等間隔に配置されている。
【００３１】
取り込み口２４は、互いに隣り合う羽根部２６間の各々に形成されている。より具体的には、取り込み口２４Ａが、羽根部２６Ａおよび羽根部２６Ｂの間に形成され、取り込み口２４Ｂが、羽根部２６Ｂおよび羽根部２６Ｃの間に形成され、取り込み口２４Ｃが、羽根部２６Ｃおよび羽根部２６Ａの間に形成されている。
【００３２】
取り込み口２４の開口面の形状は、特に限定されないが、本実施の形態では、取り込み口２４が矩形形状の開口面を有する。複数の取り込み口２４は、互いに同一形状の開口面を有する。
【００３３】
取り込み口２４は、中心軸１０１の軸方向において放電電極４１と部分的に重なる位置に形成されている。ベース部１２を基準にして中心軸１０１の軸方向における長さを高さという場合に、取り込み口２４の高さは、放電電極４１の高さよりも小さい。取り込み口２４の開口面を正面から見た場合に、放電電極４１の先端部４２は、筒部２２の裏側に隠れた位置に配置されている。取り込み口２４は、中心軸１０１を中心とする周方向において、羽根部２６から離れた位置に設けられている。
【００３４】
吹き出し口２５は、放電電極４１の軸方向における筒部２２の端部に形成されている。吹き出し口２５は、中心軸１０１の軸方向において放電電極４１の先端部４２の延長上で開口する開口部により形成されている。吹き出し口２５は、筒部２２の断面に対応する形状、本実施の形態では、円形状の開口面を有する。
【００３５】
図５は、図１中のイオン発生装置により奏される作用効果を説明するための斜視図である。図５を参照して、イオン発生装置１０に対して、電極保護カバー２１の回転中心軸（中心軸１０１）に交差する方向から送風がなされる。最も好ましくは、矢印１１３に示すように、イオン発生装置１０に対して電極保護カバー２１の回転中心軸（中心軸１０１）の径方向から送風がなされる。これにより、羽根部２６（羽根部２６Ａ、羽根部２６Ｂおよび羽根部２６Ｃ）が送風を受けて、電極保護カバー２１が矢印１１０に示す方向に回転する。
【００３６】
電極保護カバー２１が回転すると、矢印１１１に示すように、取り込み口２４（取り込み口２４Ａ、取り込み口２４Ｂおよび取り込み口２４Ｃ）を通じて筒部２２内に空気が流入する。筒部２２内に流入した空気は、空間１４を流れて、矢印１１２に示すように吹き出し口２５を通じて筒部２２内から流出する。
【００３７】
このように筒部２２内の空間１４に形成される気流によって、放電電極４１の先端部４２の付近に風速の大きい空気流れが生じるため、先端部４２に発生したイオンを吹き出し口２５を通じてより遠くまで放出することができる。また、樹脂製の電極保護カバー２１が帯電することを抑制できる。さらに、プラスイオンを発生する放電電極４１と、マイナスイオンを発生する放電電極４１とが隣接して設けられる場合、プラスイオンとマイナスイオンとが再結合することを抑制できる。
【００３８】
図６は、図３中の放電電極の第１変形例を示す側面図である。図６を参照して、本変形例では、針状電極からなる放電電極４１に替わって、ブラシ電極からなる放電電極１４１が用いられている。
【００３９】
放電電極１４１は、複数の糸状導電体１４８と、ベース部１２から延出し、その先端で複数の糸状導電体１４８の根元部を束ねて保持する保持部材１４７とを有する。糸状導電体１４８は、たとえば、金属細線、カーボン繊維、導電性繊維または導電性樹脂から形成されている。
【００４０】
本変形例に示すように、ブラシ電極からなる放電電極１４１を用いた場合においても、電極保護カバー２１の回転に伴って筒部２２内に生じる気流により、放電電極１４１の先端部に発生したイオンをより遠くまで放出することができる。
【００４１】
図７は、図３中の放電電極の第２変形例を示す断面図である。図７中では、放電電極４１の先端部４２が拡大して示されている。図７を参照して、本変形例では、放電電極４１の先端部４２を覆うように金属被膜部４６が設けられている。金属被膜部４６は、亜鉛等から形成されている。
【００４２】
このような構成によれば、空気中の酸素分子および水分子からＯＨラジカルを生成し、これを放出するとともに、金属被膜およびミストから金属イオンを含むイオン水を放出することができる。
【００４３】
（実施の形態２）
図８は、この発明の実施の形態２におけるイオン発生装置を示す上面図である。図８は、実施の形態１における図２に対応する。本実施の形態におけるイオン発生装置は、実施の形態１におけるイオン発生装置１０と比較して、基本的には同様の構造を備える。以下、重複する構造については、その説明を繰り返さない。
【００４４】
図８を参照して、本実施の形態では、羽根部２６が、筒部２２から筒部２２の接線方向に延出するように設けられている。中心軸１０１の軸方向から電極保護カバー２１を見た場合に、羽根部２６は、筒部２２から筒部２２の接線方向に延出し、さらにその延出する先で、中心軸１０１を中心とする周方向に変位するように設けられている。
【００４５】
このような構成によれば、電極保護カバー２１の回転時に生じる空気抵抗が低減するため、電極保護カバー２１の回転速度を増大させることができる。これにより、筒部２２内における気流の速度を増大させて、イオンをより遠くまで放出することができる。
【００４６】
このように構成された、この発明の実施の形態２におけるイオン発生装置によれば、実施の形態１に記載の効果を同様に奏することができる。
【００４７】
（実施の形態３）
図９は、この発明の実施の形態３におけるイオン発生装置を示す断面図である。図９中には、電極保護カバー２１を中心軸１０１に直交する平面により切断した場合の断面が示されている。図１０は、図９中のイオン発生装置において、筒部内に形成される気流の様子を示す斜視図である。本実施の形態におけるイオン発生装置は、実施の形態２におけるイオン発生装置と比較して、基本的には同様の構造を備える。以下、重複する構造については、その説明を繰り返さない。
【００４８】
図９および図１０を参照して、本実施の形態では、羽根部２６と、その羽根部２６に対して電極保護カバー２１の回転方向の後方側に位置する取り込み口２４とが、中心軸１０１を中心とする周方向において連続して設けられている。
【００４９】
より具体的には、羽根部２６Ａと、羽根部２６Ａに対して電極保護カバー２１の回転方向の後方側に位置する取り込み口２４Ａとが、中心軸１０１を中心とする周方向において連続して設けられている。取り込み口２４Ａは、筒部２２から延出する羽根部２６Ａの根元部に接するように形成されている。
【００５０】
同様の形態により、羽根部２６Ｂと、羽根部２６Ｂに対して電極保護カバー２１の回転方向の後方側に位置する取り込み口２４Ｂとが、中心軸１０１を中心とする周方向において連続して設けられている。羽根部２６Ｃと、羽根部２６Ｃに対して電極保護カバー２１の回転方向の後方側に位置する取り込み口２４Ｃとが、中心軸１０１を中心とする周方向において連続して設けられている。
【００５１】
このような構成によれば、電極保護カバー２１の回転時、羽根部２６の表面（回転方向とは反対側の表面）に沿って流れる空気が、取り込み口２４を通じて筒部２２内の空間１４に流入する。空間１４に流入した空気は、筒部２２の内壁に沿った旋回流となり、吹き出し口２５に向かって流れる。このような旋回流を筒部２２内に形成することによって、放電電極４１の先端部４２に発生したイオンをより遠くまで放出することができる。
【００５２】
このように構成された、この発明の実施の形態３におけるイオン発生装置によれば、実施の形態１に記載の効果を同様に奏することができる。
【００５３】
（実施の形態４）
図１１は、この発明の実施の形態４におけるイオン発生装置を示す断面図である。本実施の形態におけるイオン発生装置は、実施の形態３におけるイオン発生装置と比較して、基本的には同様の構造を備える。以下、重複する構造については、その説明を繰り返さない。
【００５４】
図１１を参照して、本実施の形態では、筒部２２の内周面が、中心軸１０１に対して傾斜している。中心軸１０１に直交する平面により切断した場合の筒部２２の開口面の面積は、中心軸１０１の軸方向において吹き出し口２５に近づくほど大きくなる。筒部２２は、中心軸１０１の軸方向において吹き出し口２５から遠ざかるほど先細りの円筒形状を有する。
【００５５】
このような構成によれば、筒部２２内の空間１４に旋回流をより安定して形成することができる。
【００５６】
このように構成された、この発明の実施の形態４におけるイオン発生装置によれば、実施の形態１に記載の効果を同様に奏することができる。
【００５７】
（実施の形態５）
図１２は、この発明の実施の形態５におけるイオン発生装置を示す断面図である。本実施の形態におけるイオン発生装置は、実施の形態３におけるイオン発生装置と比較して、基本的には同様の構造を備える。以下、重複する構造については、その説明を繰り返さない。
【００５８】
図１２を参照して、本実施の形態では、筒部２２の内周面が、中心軸１０１に対して傾斜している。中心軸１０１に直交する平面により切断した場合の筒部２２の開口面の面積は、中心軸１０１の軸方向において吹き出し口２５に近づくほど小さくなる。筒部２２は、中心軸１０１の軸方向において吹き出し口２５に近づくほど先細りの円筒形状を有する。
【００５９】
このような構成によれば、放電電極４１の先端部４２に付近において、筒部２２内の空間１４に形成される気流の流速を増大させることができる。
【００６０】
このように構成された、この発明の実施の形態５におけるイオン発生装置によれば、実施の形態１に記載の効果を同様に奏することができる。
【００６１】
（実施の形態６）
図１３は、この発明の実施の形態６におけるイオン発生機を示す断面図である。図１３を参照して、本実施の形態におけるイオン発生機２０１は、ケーシング２１２と、ケーシング２１２に収容されるイオン送出ユニット２１４およびイオン送出ユニット２１６とを有する。イオン送出ユニット２１４およびイオン送出ユニット２１６は、それぞれ単独でイオンを室内に向けて送出可能で、本実施の形態では、ケーシング２１２の内部で上下方向に積み重なって設けられている。
【００６２】
イオン送出ユニット２１４は、シロッコファン２２１Ｐと、ダクト２２２Ｐと、実施の形態１から５において説明したイオン発生装置２１０Ｐとを有する。イオン送出ユニット２１６は、シロッコファン２２１Ｑと、ダクト２２２Ｑと、実施の形態１から５において説明したイオン発生装置２１０Ｑとを有する（以下、シロッコファン２２１Ｐおよびシロッコファン２２１Ｑを特に区別しない場合は、シロッコファン２２１といい、ダクト２２２Ｐおよびダクト２２２Ｑを特に区別しない場合は、ダクト２２２といい、イオン発生装置２１０Ｐおよびイオン発生装置２１０Ｑを特に区別しない場合は、イオン発生装置２１０という）。
【００６３】
シロッコファン２２１は、室内の空気を取り込み、その空気をダクト２２２に向けて送出する。シロッコファン２２１Ｐとシロッコファン２２１Ｑとは、それぞれのファン回転軸が互いに平行となるように設けられている。ダクト２２２は、シロッコファン２２１に接続されている。ダクト２２２は、シロッコファン２２１から送出された空気の通風路２２０を形成する。イオン発生装置２１０は、通風路２２０に設けられている。通風路２２０には、イオン発生装置２１０で発生したイオンが放出される。
【００６４】
なお、空気を送出するファンとしては、シロッコファンに限られず、たとえば、クロスフローファン（貫流ファン）が用いられてもよい。
【００６５】
イオン発生装置２１０は、ダクト２２２に対して着脱可能なように設けられている。メンテナンス時にイオン発生装置２１０がダクト２２２から取り外された場合に、電極保護カバー２１によって、ユーザが尖鋭化された放電電極４１の先端部４２に触れることを防ぐことができる。
【００６６】
このように構成された、この発明の実施の形態６におけるイオン発生機２０１によれば、イオン発生装置２１０で発生したイオンが通風路２２０に向けてより遠くまで放出されるため、室内に十分な量のイオンを送出することができる。
【００６７】
なお、本実施の形態では、本発明をイオン発生機に適用した場合を説明したが、これに限られず、除湿機、加湿器、エアコンディショナ、空気清浄機などの空気の状態を調整し、整えるための各種の空気調和機に本発明を適用してもよい。
【００６８】
以下に、本発明の構成と、本発明によって奏される作用効果とをまとめる。
この発明に従ったイオン発生装置は、放電によりイオンを発生させる放電電極と、筒形状を有し、その内側に放電電極が配置される筒部と、筒部からその外側に向けて延出し、送風を受ける羽根部とを含み、放電電極の周囲で回転可能に設けられるカバー体とを備える。筒部には、カバー体の回転に伴って、筒部内に空気を取り込む取り込み口と、筒部内から空気を吹き出す吹き出し口とが形成される。
【００６９】
このように構成されたイオン発生装置によれば、羽根部が送風を受けることによって、カバー体を回転させる。このとき、筒部内に、取り込み口から吹き出し口へと向かう気流を形成することによって、放電電極で発生したイオンをより遠くまで放出することができる。
【００７０】
また好ましくは、放電電極は、全体として、一方向に延びる軸形状を有する。筒部は、放電電極の軸方向に沿った円筒形状を有する。取り込み口は、筒部の周面に形成される。吹き出し口は、放電電極の軸方向における筒部の端部に形成される。
【００７１】
このように構成されたイオン発生装置によれば、カバー体の回転時、筒部内に、筒部の周面に形成された取り込み口から、筒部の端部に形成された吹き出し口へと向かう気流を形成する。
【００７２】
また好ましくは、カバー体は、カバー体の回転中心軸に対する周方向に間隔を隔てた位置に複数の羽根部を含む。互いに隣り合う羽根部の間の各々に、取り込み口が形成される。
【００７３】
このように構成されたイオン発生装置によれば、筒部内により大きい気流を形成することができる。
【００７４】
また好ましくは、羽根部は、筒部から筒部の接線方向に延出する。
このように構成されたイオン発生装置によれば、カバー体の回転時に生じる空気抵抗を低減することにより、カバー体をより円滑に回転させることができる。
【００７５】
また好ましくは、放電電極は、一方向に延びる先端に先端部を含む。取り込み口の開口面を正面から見た場合に、先端部は、筒部の裏側に隠れた位置に配置される。
【００７６】
このように構成されたイオン発生装置によれば、イオンが発生する放電電極の先端部を、筒部内に発生する気流中に確実に配置することができる。
【００７７】
また好ましくは、羽根部と、その羽根部に対してカバー体の回転方向の後方側に位置する取り込み口とが、カバー体の回転中心軸に対する周方向において連続して設けられている。
【００７８】
このように構成されたイオン発生装置によれば、筒部内により大きい気流を形成することができる。
【００７９】
また好ましくは、放電電極は、全体として、一方向に延びる軸形状を有する。放電電極は、一方向に延びる先端に配置され、先鋭形状を有する先端部と、先端部を覆う金属被膜部とを含む。
【００８０】
このように構成されたイオン発生装置によれば、空気中の酸素分子および水分子からＯＨラジカルを生成し、これを放出するとともに、金属被膜およびミストから金属イオンを含むイオン水を放出することができる。
【００８１】
この発明に従った空気調和機は、通風路を形成するダクトと、通風路に設けられる、上述のいずれかに記載のイオン発生装置と、通風路に空気流れを形成するファンとを備える。
【００８２】
このように構成された空気調和機によれば、十分な量のイオンを送出することが可能な空気調和機を実現することができる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００８４】
この発明は、放電によりイオンを発生させるイオン発生装置に利用される。
【符号の説明】
【００８５】
１０，２１０，２１０Ｐ，２１０Ｑ  イオン発生装置、１２  ベース部、１４  空間、２１  電極保護カバー、２２  筒部、２４，２４Ａ，２４Ｂ，２４Ｃ  取り込み口、２５  吹き出し口、２６，２６Ａ，２６Ｂ，２６Ｃ  羽根部、２８  凹部、３１  カバー支持部、３３  突出部、４１，１４１  放電電極、４２  先端部、４３  基部、４６  金属被膜部、１０１  中心軸、１４７  保持部材、１４８  糸状導電体、２０１  イオン発生機、２１２  ケーシング、２１４，２１６  イオン送出ユニット、２２０  通風路、２２１，２２１Ｐ，２２１Ｑ  シロッコファン、２２２，２２２Ｐ，２２２Ｑ  ダクト。
【図１】
0006562833.tif 000002
【図２】
0006562833.tif 000003
【図３】
0006562833.tif 000004
【図４】
0006562833.tif 000005
【図５】
0006562833.tif 000006
【図６】
0006562833.tif 000007
【図７】
0006562833.tif 000008
【図８】
0006562833.tif 000009
【図９】
0006562833.tif 000010
【図１０】
0006562833.tif 000011
【図１１】
0006562833.tif 000012
【図１２】
0006562833.tif 000013
【図１３】
0006562833.tif 000014